(57)【要約】【課題】  様々な角度から見ても細く見え、とりわけウエスト部からヒップ部までがスッキリと細く見えるように工夫したスラックスの提供。【解決手段】  前身頃２と後身頃３とを縫い合わせる外脇線５において、この外脇線５のウエスト部からヒップ部に対し、下方に向け先細り状の略三角形状襠布４を介在させ、この襠布４と前身頃２及び後身頃３との各縫合部を、前面側及び後面側から見て上方に膨らむ緩やかな曲線ｍを描くものとなした構成とする。【選択図】    図３
0003106252.tif 000002
【実用新案登録請求の範囲】
【請求項１】
前身頃と後身頃とを縫い合わせる外脇線において、該外脇線のウエスト部からヒップ部に対し、下方に向け先細り状の略三角形状襠布を介在させ、該襠布と前身頃及び後身頃との各縫合部を、前面側及び後面側から見て上方に膨らむ緩やかな曲線を描くものとなしたことを特徴とするスラックス。
【請求項２】
前身頃と略三角形状襠布との縫合部及びヒップ部から裾部までの外脇線に沿って、前面側から見える位置にステッチが形成されたことを特徴とする請求項１記載のスラックス。
【請求項３】
後身頃のウエスト部下方に、後中心線を中心とした左右対称形状の山ハギ布が設けられたことを特徴とする請求項２記載のスラックス。
【請求項４】
後身頃の腰部に、底部を絞ったベース形状のポケットの２個が左右対称に縫着形成されたことを特徴とする請求項３記載のスラックス。
【請求項５】
請求項１〜４何れか１つに記載のスラックスをジーンズとなしたこと。
【考案の詳細な説明】
【技術分野】
【０００１】
本考案は、スラックスに関するものであり、詳しくは視覚効果によりほっそり見えるスラックスに関するものである。
【背景技術】
【０００２】
近年、体にフィットする比較的スリムなスラックスが流行している。このようなスラックスとしては、スリムパンツやジーンズなどが広く知られているが、これらを着用した場合、着用者の体のラインが強調されるため、ヒップアップ効果や脚長効果等の付加価値を備えたものが要望されている。これらの付加価値を備えたスラックスとしては、ストレッチ素材を用いたものや、視覚効果を促して着用者の脚を細く長く見せて美脚的印象を与えるように工夫がなされたもの等がある。後者の美脚的印象を与えるものとしては、前身頃の内股線と後身頃の内股線とを縫い合わせた大股線を前面から見える位置に設け該大股線に沿ってステッチを形成させたジーンズが提案されている（例えば、特許文献１参照）。
【特許文献１】実用新案登録第３０９４５８５号公報
【考案の開示】
【考案が解決しようとする課題】
【０００３】
上記特許文献１に開示されるジーンズの場合、着用者の脚が細く長く見えるように第三者の視線を集中させる逆Ｕ字状の大股線が、前面から見える位置のみに設けられているので、後面側から見た場合には、このような脚長効果は全く得られず美脚的印象を与えることができなかった。また、ウエストからヒップの腰部に対しても、上記大股線による作用効果は全く得られないので、該部を細く見せることはできない。
そこで、本考案の目的とするところは、様々な角度から見ても細く見え、とりわけウエスト部からヒップ部までがスッキリと細く見えるように工夫したスラックスを提供することにある。
【課題を解決するための手段】
【０００４】
本考案のスラックスは、前身頃と後身頃とを縫い合わせる外脇線において、該外脇線のウエスト部からヒップ部に対し、下方に向け先細り状の略三角形状襠布を介在させ、該襠布と前身頃及び後身頃との各縫合部を、前面側及び後面側から見て上方に膨らむ緩やかな曲線を描くものとなした構成とする。この際、前身頃と略三角形状襠布との縫合部及びヒップ部から裾部までの外脇線に沿って、前面側から見える位置にステッチを形成なさしめたりする。
【０００５】
また、後身頃のウエスト部下方に、後中心線を中心とした左右対称形状の山ハギ布を設けたり、後身頃の腰部に、底部を絞ったベース形状のポケットの２個を左右対称に縫着形成したりする。
【考案の効果】
【０００６】
本考案のスラックスは、外脇線のウエスト部からヒップ部に特徴的な襠布を設けたことで、該襠布と前身頃及び後身頃との縫合部が様々な角度から見えるように配設され、これにより、着用者の腰回りは、見られる方向に関係なくスッキリと細く見せるという優れた視覚効果を与えることができるのである。また、上記襠布により腰部の丸みに沿った立体的形状が構成されることから、見た目のスマートさとは逆に窮屈さを感じることなく快適な着用が可能となる。また、襠布と各身頃との縫合部を上方に膨らむ緩やかな曲線となしたことで、腰位置が高い位置に形成されるものとなり脚長効果が与えられる。
【０００７】
更に、上記効果を奏する襠布と後身頃における特徴ある山ハギ布や後ポケットとを適宜組み合わせることにより、後面側から見た際に、ヒップアップ効果や小尻効果を付加してスッキリと細く見える美脚効果を向上させるものとなる。また、適所にステッチを形成したことで、これらの効果を顕著に向上させることができた。
【考案を実施するための最良の形態】
【０００８】
スッキリと細く見えるスラックスを作成するという目的を、特徴のある襠布を前身頃と後身頃とを縫い合わせる外脇線に介在させることにより実現した。
以下、本考案に係るスラックスの実施の形態を図面を参照にして説明する。
【実施例１】
【０００９】
図１は本考案に係るスラックスの正面図、図２は背面図である。１は、前身頃２と後身頃３とからなるスラックスであって、４は左右脇腰部に設けられた襠布である。
【００１０】
上記襠布４は、下方に向け先細り状の略三角形状体となし、前身頃２と後身頃３とを縫い合わせる外脇線５のウエスト部からヒップ部に縫着されている。この際、襠布４は、図３に示す如く、各身頃２、３との縫合部が上方に膨らむ緩やかな曲線ｍを描くようになしてある。襠布４の大きさは、スラックスのサイズや股上寸法により任意に設計されるが、通常サイズのもので、巾寸法が３ｃｍ〜８ｃｍ程度、高さ寸法が６ｃｍ〜２４ｃｍ程度になされる。
【００１１】
６は前身頃２のウエスト部から裾部に形成されたステッチであり、襠布４と前身頃２との縫合部及びヒップ部から裾部までの外脇線５に沿って、スラックス１の前面側から見える位置に設けられている。該ステッチ６は任意に設計できるが、細巾のダブルステッチに形成したものは、脇ラインのシャープさをより強調することができる。
【実施例２】
【００１２】
図４は、他の実施の態様を示すスラックスの背面図である。本実施例２においては、上記実施例１のスラックス１の後身頃３に、更に山ハギ布７と後ポケット８が設けられる。
【００１３】
山ハギ布７は、後身頃３のウエスト部のすぐ下方へ設けられ、後中心線ｐを中心とした左右対称形状となして、ウエスト部、左右襠布４、４及び左右後身頃布３ａ、３ｂで囲まれるように縫着されている。これにより、該左右後身頃布３ａ、３ｂとの縫合線が腰幅よりも巾狭のＶ字ラインｑを形成するものとなしてある。
【００１４】
後ポケット８は、底部を絞り込んだベース形状となし、左右後身頃布３ａ、３ｂのヒップ部へ後中心線ｐに対して対称に縫着形成されている。
【００１５】
また、上記山ハギ布７及び後ポケット８と左右後身頃布３ａ、３ｂとの縫合線に沿ってステッチ９、１０を形成させ、上記Ｖ字ラインｑ及びポケット８底部の絞り込んだ形状を強調するものとなしてある。
【００１６】
本実施例２においては、山ハギ布７と後ポケット８を同時に形成した場合について説明したが、これらを単独で襠布４と併用させてもよく、この場合も同様に脚長効果や美脚効果を向上させることができる。
【図面の簡単な説明】
【００１７】
【図１】本考案に係るスラックスの正面図である。
【図２】図１に示されるスラックスの背面図である。
【図３】本考案に係る襠布の縫着状態を示す部分詳細図である。
【図４】本考案に係る別の実施の形態を示すスラックスの背面図である。
【符号の説明】
【００１８】
１      スラックス
２      前身頃
３      後身頃
４      襠布
５      外脇線
６、９、１０      ステッチ
７      山ハギ布
８      ポケット
ｍ      曲線
ｐ      後中心線
ｑ      Ｖ字ライン
【図１】
0003106252.tif 000003
【図２】
0003106252.tif 000004
【図３】
0003106252.tif 000005
【図４】
0003106252.tif 000006